(57)【要約】【課題】女性など腕力が弱い人や怪我などをしている人であっても重たい商品を運ぶことを可能とする買物袋の取手補助具を提供することである。【解決手段】柔軟性素材で構成され、帯状に形成された帯状部１０と、該帯状部１０の一端に設けられ、一対の取手が付いた袋１６の一方の取手１８Ａに係合可能な第１係合部１２と、前記帯状部１０の他端に設けられ、前記袋１６の他方の取手１８Ｂに係合可能な第２係合部１４と、を備えたことを特徴とする買物袋の取手補助具である。【選択図】図３
2006271744.tif 000002
【特許請求の範囲】
【請求項１】
柔軟性素材で構成され、帯状に形成された帯状部と、該帯状部の一端に設けられ、一対の取手が付いた袋の一方の取手に脱着自在に係合可能な第１係合部と、前記帯状部の他端に設けられ、前記袋の他方の取手に脱着自在に係合可能な第２係合部と、を備えたことを特徴とする買物袋の取手補助具。
【請求項２】
前記帯状部は、第１係合部と第２係合部を前記袋の取手に係合させた際に、前記帯状部を肩に掛けて前記袋を持つことができるのに十分な長さを有することを特徴とする請求項１記載の買物袋の取手補助具。
【請求項３】
前記帯状部は、長手方向に半分に折った際に手で把持するのに適切な長さであることを特徴とする請求項１又は２記載の買物袋の取手補助具。
【請求項４】
前記帯状部は、２０〜３５ｃｍであることを特徴とする請求項１乃至３いずれか記載の取手補助具。
【請求項５】
前記第１係合部には、小型電灯が設けられていることを特徴とする請求項１乃至４いずれか記載の買物袋の取手補助具。
【発明の詳細な説明】
【技術分野】
【０００１】
本発明は、コンビニエンスストアやスーパーなどで購入した商品を入れるために提供されているビニール製の買物袋（レジ袋）の一対の取手を補助する買物袋の取手補助具に関する。
【背景技術】
【０００２】
従来から、コンビニエンスストアやスーパーなどは、購入した商品を持ち帰るためのビニール製の買物袋を客に有料又は無料で配布している。このビニール製の買物袋３４は、図５に示すように上方に開口３８を有し、それぞれの端部がその開口の縁に一対の取手が一体的に設けられている。客は、この一対の取手を把持することによって、ビニール製の買物袋を運ぶことができる。また、このようなビニール製の買物袋３４は、購入した商品だけでなく、様々な物を収納して運ぶのに再利用されている。
【０００３】
しかしながら、このようなビニール製の買物袋の取手は、買物袋本体と同様にビニールで構成されているので、把持した感覚が決して好ましいものではなく、商品の重量が重くなったり、長時間運ぶ際に手に食い込んでしまうという問題がある。このため、図５に示すように筒状体３０の長さ方向に対して平行に切欠き３２Ａ、３２Ｂが形成された取手補助具が提案されている（特許文献１）。この取手補助具は、切欠き３２Ａ、３２Ｂに買物袋３４の取手３６Ａ、３６Ｂを挿入し、筒状体３０を把持することによって、手への食い込みなどを防止することができる。
【０００４】
【特許文献１】特開２０００−１０６９４８号公報
【発明の開示】
【発明が解決しようとする課題】
【０００５】
しかしながら、特許文献１に記載された取手補助具は、あくまでも手で把持することを目的とするものであるので、女性など腕力が弱い人や怪我などをしている人が重たい商品を運ぶ場合には適していない。
【０００６】
そこで、本発明は、女性など腕力が弱い人や怪我などをしている人であっても重たい商品を運ぶことを可能とする買物袋の取手補助具を提供することを目的とする。
【課題を解決するための手段】
【０００７】
以上の目的を達成するため、本発明は、柔軟性素材で構成され、帯状に形成された帯状部と、該帯状部の一端に設けられ、一対の取手が付いた袋の一方の取手に脱着自在に係合可能な第１係合部と、前記帯状部の他端に設けられ、前記袋の他方の取手に脱着自在に係合可能な第２係合部と、を備えたことを特徴とする買物袋の取手補助具である。
【０００８】
このように、本発明に係る取手補助具によれば、帯状部を柔軟性素材で構成しているので、第１係合部と第２係合部を前記袋の一対の取手それぞれに係合させることによって、帯状部を肩に掛けて前記袋を持つことができる。本発明に係る取手補助具において、柔軟性素材とは、革、布又は合成樹脂などが考えられ、帯状部としては、綿などを包含した状態のものが好ましい。
【０００９】
本発明に係る取手補助具において、前記帯状部は、第１係合部と第２係合部を前記袋の取手に係合させた際に、前記帯状部を肩に掛けて前記袋を持つことができるのに十分な長さを有することが好ましく、長手方向に半分に折った際に手で把持するのに適切な長さであることが好ましい。例えば２０〜３５ｃｍであることが好ましい。
【００１０】
また、本発明に係る取手補助具において、前記第１係合部には、小型電灯が設けられていることが好ましく、このように小型電灯を設けることにより、夜買物から帰った際にドアノブに小型電灯の光を照射することによって、容易に鍵穴を見つけることができる。また、暗い道などを歩く際にも周りを照らすことにより明るくすることができ、防犯にも役立させることが可能です。
【発明の効果】
【００１１】
以上のように本発明によれば、女性など腕力が弱い人や怪我などをしている人であっても重たい商品を運ぶことを可能とする買物袋の取手補助具を提供することができる。
【発明を実施するための最良の形態】
【００１２】
次に、本発明に係る買物袋の取手補助具の実施例について図面に基づいて説明する。図１は、本実施例に係る取手補助具の平面図である。本実施例に係る取手補助具は、帯状に形成された帯状部１０と、帯状部１０の一端１０Aに設けられ、一対の取手が付いた買物袋の一方の取手に脱着自在に係合可能な第１係合部１２と、帯状部１０の他端１０Bに設けられ、買物袋の他方の取手に脱着自在に係合可能な第２係合部１４と、を備えている。
【００１３】
帯状部１０は、柔軟性素材、例えば革などで構成されており、本実施例においては、綿などを内側に包含させた状態で周縁が縫合されたものを使用する。また、帯状部１０は、第１係合部１２と第２係合部１４を買物袋の取手に係合させた際に、帯状部１０を肩に掛けて買物袋を持つことができるのに十分な長さ、例えば２０〜３５ｃｍ、本実施例においては、２５ｃｍの長さを有する。
【００１４】
第１係合部１２及び第２係合部１４は、逆Ｊ字状に形成された係合部本体１２Ａ、１４Ａと、基端が係合部本体１２Ａ、１４Ａの基端を軸に回動し、先端が係合部本体１２Ａ、１４Ａの先端の内側に当接する可動部１２Ｂ、１４Ｂとから構成されており、可動部１２Ｂ、１４Ｂを内側に可動させて、買物袋の取手を本体１２Ａ、１４Ｂと可動部１２Ｂ、１４Ｂの中に挿入することによって、第１係合部１２及び第２係合部１４を取手に係合させることができる。一方、可動部１２Ｂ、１４Ｂを内側に可動させて、取手を第１係合部１２及び第２係合部１４から取り外すことができる。
【００１５】
図２は、本実施例に係る買物袋の取手補助具をスーパーマーケットなどで配布されるビニール製の買物袋１６の一対の取手１８Ａ、１８Ｂに取り付けた状態を示す斜視図である。図２に示すように、第１係合部１２と第２係合部１４を買物袋１６の取手１８Ａ、１８Ｂそれぞれに係合させることによって、取手補助具を買物袋１６に取り付けることができる。本実施例に係る取手補助具は、帯状部１０が柔軟性な素材である革で構成されているので、図３に示すように肩に掛けることができ、腕力が劣る女性などであっても容易に重たい商品を運ぶことができる。また、このように買物袋を肩に掛けることにより、両手を空けることができるので、例えば両手で子供と手を繋ぐことができ、また転倒しても両手で手を付いて大きな怪我を防止することができる。
【００１６】
また、本実施例に係る買物袋の取手補助具は、図４に示すように第１係合部１２に小型電灯２０を取り付けても良い。このように小型電灯２０を取り付けることによって、夜買物から帰った際にドアノブに小型電灯の光を照射することによって、容易に鍵穴を見つけることができる。さらに、帯状部１０は、革でなく布によって構成しても良い。
【００１７】
さらに、本実施例に係る買物袋の取手補助具は、図５に示すように手で把持する用途としても使用することができる。すなわち、第１係合部１２を先ず買物袋１６の一方の取手１８Ａに係合し、第２係合部１４を他の取手１８Ｂを通した後、一方の取手１８Ａに係合させることによって、二つ折りされた帯状部１０を手によって把持することができる。
【図面の簡単な説明】
【００１８】
【図１】本発明に係る買物袋の取手補助具の実施例の平面図である。
【図２】本実施例に係る買物袋の取手補助具を買物袋の取手に取り付けた状態を示す斜視図である。
【図３】本実施例に係る買物袋の取手補助具を取り付けた買物袋を肩に掛けた状態を示す斜視図である。
【図４】本発明に係る買物袋の取手補助具の他の実施例の図３に対応する斜視図である。
【図５】本発明に係る買物袋の取手補助具の実施例の他の使用方法を示す図３に対応する斜視図である。
【図６】従来の買物袋の取手補助具の斜視図である。
【符号の説明】
【００１９】
１０   帯状部
１２   第１係合部
１４   第２係合部
１６   買物袋
１８Ａ、１８Ｂ       取手
【図１】
2006271744.tif 000003
【図２】
2006271744.tif 000004
【図３】
2006271744.tif 000005
【図４】
2006271744.tif 000006
【図５】
2006271744.tif 000007
【図６】
2006271744.tif 000008